(57)【要約】      （修正有）【課題】体積が比較的に小さい薄型表示ユニットを用い、接続インターフェースを設置することを合わせて所望の空間を小さくし、不揮発性メモリ装置の体積を縮小でき、体積のサイズが厳しく規制されている応用領域にも、表示ユニットを設置でき、表示応用状態が常に示されることを達成する薄型表示ユニットを有する不揮発性メモリ装置を提供する。【解決手段】薄型表示ユニットと、不揮発性メモリユニットと、接続インターフェースと、封止ユニットとを含み、不揮発性メモリユニットが、さらに、コントローラ及び少なくとも一つの不揮発性メモリ媒体を備え、薄型表示ユニットが、伝送ユニットをさらに有し、封止ユニットが表示窓をさらに有し、コントローラが、接続インターフェースと伝送インターフェースの電気接続により、不揮発性メモリ媒体の状態情報を該薄型表示ユニットに伝送し、使用者が封止ユニット或いは表示窓を介して状態情報を得る薄型表示ユニットを有する不揮発性メモリ装置。【選択図】図６
0003120297.tif 000002
【実用新案登録請求の範囲】
【請求項１】
不揮発性メモリ装置の応用状態を表示する薄型表示ユニットと、
デジタル情報を格納、記録することに供え、前記薄型表示ユニットにその応用状態を表示する不揮発性メモリユニットと、
前記不揮発性メモリユニットに設置され、前記薄型表示ユニットに電気的に接続され、前記不揮発性メモリユニットと前記薄型表示ユニットの間に信号を伝送する接続インターフェースと、
不揮発性メモリ装置の外縁部に設置され、薄型表示ユニットの状態情報を収納する表示窓を有する封止ユニットとを含むことを特徴とする薄型表示ユニットを有する不揮発性メモリ装置。
【請求項２】
前記薄型表示ユニットは、二定常状態の薄型表示ユニットであることを特徴とする請求項１に記載の薄型表示ユニットを有する不揮発性メモリ装置。
【請求項３】
前記薄型表示ユニットは、さらに、前記接続インターフェースに電気的に接続する伝送インターフェースを含むことを特徴とする請求項１に記載の薄型表示ユニットを有する不揮発性メモリ装置。
【請求項４】
前記伝送インターフェースは、一又は複数の導電パッドを備えることを特徴とする請求項３に記載の薄型表示ユニットを有する不揮発性メモリ装置。
【請求項５】
前記封止ユニットが、前記伝送インターフェースに設けられる一或いは複数の突起構造に対応し、封止による緊密な圧着により、薄型表示ユニットがパッケージする圧力を受け、伝送インターフェースを接続インターフェースに当接し電気接続を達成することを特徴とする請求項３に記載の薄型表示ユニットを有する不揮発性メモリ装置。
【請求項６】
前記不揮発性メモリユニットは、さらに、コントローラと少なくとも一つの不揮発性メモリ媒体を含み、前記コントローラが、前記不揮発性メモリ媒体が記録する情報を読取及び分析し、前記接続インターフェースにより状態情報を前記薄型表示ユニットに伝送することを特徴とする請求項１に記載の薄型表示ユニットを有する不揮発性メモリ装置。
【請求項７】
前記薄型表示ユニットが、前記封止ユニットに嵌合され、パッケージの緊密な圧着により前記薄型表示ユニット上の伝送インターフェースを接続インターフェースに電気的に接続することを特徴とする請求項１に記載の薄型表示ユニットを有する不揮発性メモリ装置。
【請求項８】
前記薄型表示ユニットが、前記不揮発性メモリユニットに嵌合され、パッケージの緊密な圧着により前記薄型表示ユニット上の伝送インターフェースを接続インターフェースに電気的に接続することを特徴とする請求項１に記載の薄型表示ユニットを有する不揮発性メモリ装置。
【請求項９】
前記薄型表示ユニットが、前記薄型表示ユニット上の伝送インターフェースにより前記不揮発性メモリユニットの接続インターフェースに熔接されることを特徴とする請求項１に記載の薄型表示ユニットを有する不揮発性メモリ装置。
【請求項１０】
前記封止ユニットが、上、下蓋によりパッケージされることを特徴とする請求項１に記載の薄型表示ユニットを有する不揮発性メモリ装置。
【請求項１１】
前記封止ユニットが、単一のケースで各ユニットを組立した後に、封止材料で接着することを特徴とする請求項１に記載の薄型表示ユニットを有する不揮発性メモリ装置。
【請求項１２】
前記封止ユニットが、一体成形の方式で各ユニットを直接的に組立した後に、封止材料で金型内の成形過程中に組成することを特徴とする請求項１に記載の薄型表示ユニットを有する不揮発性メモリ装置。
【請求項１３】
前記封止ユニットが、多数の部材で組み立てパッケージすることを特徴とする請求項１に記載の薄型表示ユニットを有する不揮発性メモリ装置。
【請求項１４】
前記封止ユニットが、透明な材質であることを特徴とする請求項１に記載の薄型表示ユニットを有する不揮発性メモリ装置。
【請求項１５】
不揮発性メモリ装置の応用状態を表示する薄型表示ユニットと、
デジタル情報を格納、記録することに供え、前記薄型表示ユニットにその応用状態を表示する不揮発性メモリユニットと、
前記不揮発性メモリユニットに設置され、前記薄型表示ユニットに電気的に接続され、前記不揮発性メモリユニットと前記薄型表示ユニットの間に信号を伝送する導電パッドを有する接続インターフェースと、
不揮発性メモリ装置の外縁部に設置され、薄型表示ユニットの状態情報を収納する表示窓を有する封止ユニットとを含むことを特徴とする薄型表示ユニットを有する不揮発性メモリ装置。
【請求項１６】
前記薄型表示ユニットは、さらに、前記導電パッドを有する接続インターフェースに電気的に接続する伝送インターフェースを含むことを特徴とする請求項１５に記載の薄型表示ユニットを有する不揮発性メモリ装置。
【請求項１７】
前記薄型表示ユニットは、二定常状態の薄型表示ユニットであることを特徴とする請求項１５に記載の薄型表示ユニットを有する不揮発性メモリ装置。
【請求項１８】
前記不揮発性メモリユニットは、さらに、コントローラと少なくとも一つの不揮発性メモリ媒体を含み、前記コントローラが、前記不揮発性メモリ媒体が記録する情報を読取及び分析し、前記導電パッドを有する接続インターフェースにより状態情報を前記薄型表示ユニットに伝送することを特徴とする請求項１５に記載の薄型表示ユニットを有する不揮発性メモリ装置。
【請求項１９】
前記薄型表示ユニットが、前記封止ユニットに嵌合され、パッケージの緊密な圧着により前記薄型表示ユニット上の伝送インターフェースを導電パッドを有する接続インターフェースに電気的に接続することを特徴とする請求項１５に記載の薄型表示ユニットを有する不揮発性メモリ装置。
【請求項２０】
前記薄型表示ユニットが、前記不揮発性メモリユニットに嵌合され、パッケージの緊密な圧着により前記薄型表示ユニット上の伝送インターフェースを導電パッドを有する接続インターフェースに電気的に接続することを特徴とする請求項１５に記載の薄型表示ユニットを有する不揮発性メモリ装置。
【請求項２１】
前記封止ユニットが、上、下蓋によりパッケージされることを特徴とする請求項１５に記載の薄型表示ユニットを有する不揮発性メモリ装置。
【請求項２２】
前記封止ユニットが、単一のケースで各ユニットを組立した後に、封止材料で接着することを特徴とする請求項１５に記載の薄型表示ユニットを有する不揮発性メモリ装置。
【請求項２３】
前記封止ユニットが、一体成形の方式で各ユニットを直接的に組立した後に、封止材料で金型内の成形過程中に組成することを特徴とする請求項１５に記載の薄型表示ユニットを有する不揮発性メモリ装置。
【請求項２４】
前記封止ユニットが、多数の部材で組み立てパッケージすることを特徴とする請求項１５に記載の薄型表示ユニットを有する不揮発性メモリ装置。
【請求項２５】
前記封止ユニットが、透明な材質であることを特徴とする請求項１５に記載の薄型表示ユニットを有する不揮発性メモリ装置。
【考案の詳細な説明】
【技術分野】
【０００１】
本考案は、表示ユニットを有する不揮発性メモリ装置に係わり、特に、薄型表示ユニットを有する不揮発性メモリ装置を指すものである。
【背景技術】
【０００２】
従来の不揮発性メモリ装置、例えば、CF（CompactFlash：登録商標）メモリカード、MMC（MultiＭediaCard：登録商標）メモリカード、SD（SecureDigital：登録商標）メモリカード、MS（MemoryStick：登録商標）メモリカード、及びUSBインターフェースのサムドライブ（ThumbDrive：登録商標）などは、一般に、表示ユニットを設けていない、出荷する時にラベルを貼り格納媒体容量の大きさを指示する以外に、使用者がその応用状態を把握するための便利、即時な表示方式を備えていない。
【０００３】
自体に内蔵電源が設置されている一部の携帯式装置、例えば、MP3及びメモリカードスペア装置などの製品上に、表示ユニットも設置されているが、その内蔵格納媒体の余剰容量を指示できるものまでもあるが、これらは内蔵電源を備えることが必要で、且つ、使われている表示ユニットの体積が大きすぎて、上記両要因が、今までになお解決できないため、上記応用では、体積のサイズが厳しく規制されるメモリカードは、共に表示ユニットを設置されていない、USBインターフェースサムドライブは、表示ユニットを設置したが、その体積が表示ユニットを設置することに影響され小さくすることはできない。
【０００４】
台湾実用新案証書M253035号に記載されたように、該創作は、格納容量情報表示機能を有する格納関連装置であって、格納容量情報表示機能を備えるが、なお、体積の大きさが厳しく規制される領域に直接的に適応できない。
【特許文献１】台湾実用新案証書M253035号
【考案の開示】
【考案が解決しようとする課題】
【０００５】
上記の点を鑑み、本考案は、体積が比較的に小さい薄型表示ユニットを用い、接続インターフェースを設置することを合せて所望の空間を小さくし、不揮発性メモリ装置の体積を縮小でき、体積のサイズが厳しく規制されている応用領域にも、表示ユニットを設置でき、表示応用状態が常に示されることを達成する薄型表示ユニットを有する不揮発性メモリ装置を提供する。
【課題を解決するための手段】
【０００６】
そのために、本考案は、不揮発性メモリユニットでシステムインターフェースを介して外部応用システムに接続し、デジタル情報を格納、記録することに供える一方、該不揮発性メモリユニットは、コントローラにより少なくとも一つの不揮発性メモリ媒体が記録した情報を読取、分析し、接続インターフェース及び伝送インターフェースの電気接続により状態情報を少なくとも二定常状態である薄型表示ユニットに伝送し、封止ユニットから該薄型表示ユニットが表示する状態情報を直接的に読み取る薄型表示ユニットを有する不揮発性メモリ装置を提供する。
【０００７】
本考案の特徴及び技術内容を深く理解するため、以下に本考案に関わる詳しい説明及び添付図面を参照するが、それらの添付図面が参考及び説明のみに使われ、本考案の主張範囲を狭義的に局限するものではないことは言うまでもないことである。
【考案を実施するための最良の形態】
【０００８】
図１は、本考案による構造を示すブロック図であり、図１を参照すると、不揮発性メモリユニット４は、システムインターフェース４３を介して外部応用システムに接続し、デジタル情報を格納、記録することに供える一方、不揮発性メモリ媒体４１が記録した情報を読取、分析し、接続インターフェース５により状態情報を伝送インターフェース２１に伝送し、さらに、薄型表示ユニット２に状態情報を表示させるコントローラ４２を含む。
【０００９】
本考案による薄型表示ユニット２は、厚さが低い基材を用い、その上に電界、電流或いは他の電磁効果誘導影響を設置し、即ち、その安定状態の電気光学材料（Opto-Electronics Material）を変更する。これらの電気光学材料の配設を適当にレイアウトし、並びにその安定状態の駆動配置を推進、変更することにより、情報表示の効果を達成する。
【００１０】
図２は、本考案による第一の実施例の構造を示す断面図であり、図２に示すように、薄型表示ユニット２は、少なくとも一つの二定常状態の薄型表示ユニット２であり、体積サイズが比較的に小さいことを除く、不揮発性メモリ装置１の応用状態を常に表示でき、応用システムに接続或いは内蔵電源を備えることが必要はない。
【００１１】
そして、封止ユニット８に薄型表示ユニット２を嵌め合い、該封止ユニット８が、薄型表示ユニットを有する不揮発性メモリ装置１の外縁部に設置され、薄型表示ユニット２に対応する箇所に表示窓８１が設けられ、さらに、封止ユニット８が、薄型表示ユニット２が状態情報を表示するために、透明な材質を使用してもよい、該薄型表示ユニット２は伝送インターフェース２１を設け、伝送インターフェース２１が、金属材料の導電端子であって、封止する時に接合導電作用を増加するため、パッドを有する金属導電端子に設けても良い、且つ、該パッドはボール状或いはピン状の金属材料である。一方、不揮発性メモリユニット４は、少なくとも一つの不揮発性メモリ媒体４１、コントローラ４２、システムインターフェース４３及び接続インターフェース５を含み、接続インターフェース５が金属材料の導電端子で、且つ伝送インターフェース２１の位置と対応する関係であり、封止ユニット８の封止による緊密な圧着で伝送インターフェース２１を接続インターフェース５に当接し電気接続を達成し、よって、コントローラ４２は、不揮発性メモリ媒体４１の状態情報を薄型表示ユニット２に伝送し表示させ、言い換えれば、コントローラ４２は、伝送インターフェース２１を介して接続インターフェース５に電気的に接続し、薄型表示ユニット２が表示する状態情報を制御し、また、コントローラ４２は、システムインターフェース４３を介して外部応用システムに接続し、デジタル情報を格納、記録する機能を供給する。
【００１２】
さらに、上記薄型表示ユニット２が封止ユニット８に嵌合され、図５は本考案による薄型表示ユニットが不揮発性メモリユニットに嵌合することを示す図であり、図5に示すように、不揮発性メモリユニット４に薄型表示ユニット２を嵌合し、パッケージの緊密な圧着により伝送インターフェース２１を接続インターフェース５に電気的に接続し、また、伝送インターフェース２１と接続インターフェース５を直接的に熔接しても良い、先ず、薄型表示ユニット２を不揮発性メモリユニット４に電気的に接続し、さらに、封止ユニット８によりパッケージする。
【００１３】
さらに、封止ユニット８が上、下蓋又は多数の部材よりパッケージされるものでよいが、単一のケースで各ユニットを組立した後に、封止材料で接着しても良い、また、一体成形の方式で各ユニットを直接的に組立した後に、封止材料で金型内の成形過程中に組成しても良い。
【００１４】
図３は、本考案による第二の実施例の構造を示す断面図であり、図３に示すように、薄型表示ユニット２は、少なくとも一つの二定常状態の薄型表示ユニット２であり、体積サイズが比較的に小さいことを除く、不揮発性メモリ装置１の応用状態を常に表示でき、応用システムに接続或いは内蔵電源を備えることが必要はない。
【００１５】
そして、封止ユニット８に薄型表示ユニット２を嵌め合い、該封止ユニット８が、薄型表示ユニットを有する不揮発性メモリ装置１の外縁部に設置され、薄型表示ユニット２に対応する箇所に表示窓８１が設けられ、さらに、封止ユニット８が、薄型表示ユニット２が状態情報を表示するために、透明な材質を使用してもよい、該薄型表示ユニット２は伝送インターフェース２１を設け、伝送インターフェース２１が、金属材料の導電端子である。一方、不揮発性メモリユニット４は、不揮発性メモリ媒体４１、コントローラ４２、システムインターフェース４３及び導電パッドを有する接続インターフェース７を含み、導電パッドを有する接続インターフェース７が、ボール状の金属導電端子であって、或いはピン状の金属導電端子であっても良い、且つ、伝送インターフェース２１の位置と対応する関係であり、封止ユニット８の封止による緊密な圧着で伝送インターフェース２１を導電パッドを有する接続インターフェース７に当接し電気接続を達成し、導電パッドを有する接続インターフェース７のパッド構造により接続導電の作用を増加し、また、コントローラ４２は、導電パッドを有する接続インターフェース７を介して伝送インターフェース２１に電気的に接続し、不揮発性メモリ媒体４１の状態情報を薄型表示ユニット２に伝送し、表示させ、言い換えれば、コントローラ４２は、導電パッドを有する接続インターフェース７を介して伝送インターフェース２１に電気的に接続し、薄型表示ユニット２が表示する状態情報を制御し、また、コントローラ４２は、システムインターフェース４３を介して外部応用システムに接続し、デジタル情報を格納、記録する機能を供給する。
【００１６】
さらに、上記薄型表示ユニット２が封止ユニット８に嵌合され、図５は本考案による薄型表示ユニットが不揮発性メモリユニットに嵌合することを示す図であり、図5に示すように、不揮発性メモリユニット４に薄型表示ユニット２を嵌合し、パッケージの緊密な圧着により伝送インターフェース２１を導電パッドを有する接続インターフェース７に電気的に接続する。
【００１７】
さらに、封止ユニット８が上、下蓋又は多数の部材よりパッケージされるものでよいが、単一のケースで各ユニットを組立した後に、封止材料で接着しても良い、また、一体成形の方式で各ユニットを直接的に組立した後に、封止材料で金型内の成形過程中に組成しても良い。
【００１８】
図４は、本考案による第三の実施例の構造を示す断面図であり、図４に示すように、薄型表示ユニット２は、少なくとも一つの二定常状態の薄型表示ユニット２であり、体積サイズが比較的に小さいことを除く、不揮発性メモリ装置１の応用状態を常に表示でき、応用システムに接続或いは内蔵電源を備えることが必要はない。
【００１９】
そして、封止ユニット８に薄型表示ユニット２を嵌め合い、該封止ユニット８が、薄型表示ユニットを有する不揮発性メモリ装置１の外縁部に設置され、薄型表示ユニット２に対応する箇所に表示窓８１が設けられ、さらに、封止ユニット８が、薄型表示ユニット２が状態情報を表示するために、透明な材質を使用してもよい、該薄型表示ユニット２は伝送インターフェース２１を設け、伝送インターフェース２１が、金属材料の導電端子である。一方、不揮発性メモリユニット４は、少なくとも一つの不揮発性メモリ媒体４１、コントローラ４２、システムインターフェース４３及び接続インターフェース５を含み、接続インターフェース５が金属導電端子であって、且つ、伝送インターフェース２１の位置と対応する関係であり、封止ユニット８が、伝送インターフェース２１に設けられる一或いは複数の突起構造８２に対応し、封止による緊密な圧着により、その撓みある薄型表示ユニット２が突起構造８２の圧力を受け、伝送インターフェース２１を接続インターフェース５に当接し電気接続を達成する。コントローラ４２は、接続インターフェース５と伝送インターフェース２１との間の電気接続により、不揮発性メモリ媒体４１の状態情報を薄型表示ユニット２に伝送し、表示させ、言い換えれば、コントローラ４２は、伝送インターフェース２１を介して接続インターフェース５に電気的に接続し、薄型表示ユニット２が表示する状態情報を制御し、また、コントローラ４２は、システムインターフェース４３を介して外部応用システムに接続し、デジタル情報を格納、記録する機能を供給する。
【００２０】
さらに、上記薄型表示ユニット２が封止ユニット８に嵌合され、図５は本考案による薄型表示ユニットが不揮発性メモリユニットに嵌合することを示す図であり、図5に示すように、不揮発性メモリユニット４に薄型表示ユニット２を嵌合し、パッケージの緊密な圧着により伝送インターフェース２１を接続インターフェース５に電気的に接続し、また、伝送インターフェース２１と接続インターフェース５を直接的に熔接しても良い、先ず、薄型表示ユニット２を不揮発性メモリユニット４に電気的に接続し、さらに、封止ユニット８によりパッケージする。
【００２１】
さらに、封止ユニット８が上、下蓋又は多数の部材よりパッケージされるものでよいが、単一のケースで各ユニットを組立した後に、封止材料で接着しても良い、また、一体成形の方式で各ユニットを直接的に組立した後に、封止材料で金型内の成形過程中に組成しても良い。
【００２２】
以上のように、本考案によると、各種の不揮発性メモリ装置、例えば、CF（CompactFlash）メモリカード、MMC（MultiＭediaCard：登録商標）メモリカード、SD（SecureDigital）メモリカード及びMS（MemoryStick）メモリカードなど様々な体積サイズのメモリ装置に適応でき、図６は本考案がSDメモリカードに適応することを示す図であり、図６に示すように、SDメモリカード３に状態情報を表示でき、体積のサイズが厳しく規制されることで表示ユニットを設置できない問題を克服しており、また、従来に表示ユニットを設置したUSBインターフェースのサムドライブ（ThumbDrive）の体積も減少できる。
【００２３】
しかし、上記の説明は、単に本考案の好ましい実施例に過ぎなく、本考案の特許請求の範囲を局限するものではなく、いずれの当該分野における通常の知識を有する専門家が本考案の分野の中で、適当に変更や修飾などを実施できるが、それらの実施のことが本考案の主張範囲内に納入されるべきことは言うまでもないことである。
【図面の簡単な説明】
【００２４】
【図１】本考案による構造を示すブロック図である。
【図２】本考案による第一の実施例を示す断面図である。
【図３】本考案による第二の実施例を示す断面図である。
【図４】本考案による第三の実施例を示す断面図である。
【図５】本考案による薄型表示ユニットが不揮発性メモリユニットに嵌合することを示すブロック図である。
【図６】本考案がSDメモリカードに適応することを示す表示図である。
【符号の説明】
【００２５】
１  薄型表示ユニットを有する不揮発性メモリ装置
２  薄型表示ユニット
３  SDメモリカード
４  不揮発性メモリユニット
５  接続インターフェース
７  接続インターフェース
８  封止ユニット
２１  伝送インターフェース
４１  不揮発性メモリ媒体
４２  コントローラ
４３  システムインターフェース
８１  表示窓
８２  突起構造
【図１】
0003120297.tif 000003
【図２】
0003120297.tif 000004
【図３】
0003120297.tif 000005
【図４】
0003120297.tif 000006
【図５】
0003120297.tif 000007
【図６】
0003120297.tif 000008